(57)【特許請求の範囲】
【請求項１】
端末器の電話ジャックに差し込まれた送受話器と通話する送受話器を差し込むための電話ジャックと、端末機側からの呼び出しを知らせる呼び出し音を発生する音響装置と、電話ジャックに送受話器が差し込まれた状態を検出すると点灯して電話ジャックに送受話器が差し込まれたことを表示する電話灯とを備えた火災受信機において、
火災受信機の電話ジャックに送受話器が差し込まれた状態を検出したときは、前記音響装置による呼び出し音の発生を停止させ、端末器の電話ジャックに送受話器が差し込まれた状態を検出したときと差し込まれていない状態を検出したときとで、前記電話灯の点灯による表示態様を異ならせたことを特徴とする火災受信機。
【請求項２】
請求項１記載の火災受信機において、電話灯の点灯による表示態様を連続点灯と点滅点灯により異ならせたことを特徴とする火災受信機。
【請求項３】
請求項２記載の火災受信機において、電話灯の点灯による表示態様を、端末器の電話ジャックに送受話器が差し込まれていない状態を検出したときには連続点灯とし、端末器の電話ジャックに送受話器が差し込まれた状態を検出したときには点滅点灯として異ならせたことを特徴とする火災受信機。
【請求項４】
請求項１記載の火災受信機において、電話灯の点灯による表示態様を点灯色により異ならせたことを特徴とする火災受信機。
【発明の詳細な説明】
【技術分野】
【０００１】
本発明は、火災報知設備における端末器との間で送受話器による通話機能を有する火災受信機に関する。
【背景技術】
【０００２】
従来より火災報知設備においては、中央の火災受信機と監視現場に設置された端末器との間で送受話器により通話することより、現場の状況を一刻も早く把握することのできる通話機能を備えたものがある。この通話機能は、火災受信機と端末器にそれぞれ送受話器を差し込む電話ジャックを設けておき、平常時に取り外しておいた送受話器をこの電話ジャック差し込むことにより通話を行えるようにしている。
【０００３】
火災受信機側においては、音響装置よる呼び出し音を鳴動させることにより、端末器から送受話器による呼び出しがあったことを通知するようにしている。また、電話ジャックに送受話器が差し込まれた状態を検出すると点灯して、電話ジャックに送受話器が差し込まれたことを表示する電話灯を火災受信機側に備え、送受話器の電話ジャックへの差し込みを検出したことを表示により確認できるようにしている。なお、電話灯による点灯は、端末器および火災受信機の何れか一方または両方の送受話器がそれぞれの電話ジャックに差し込まれたときに点灯するようになっている。
【０００４】
この通話機能は、非常時に支障をきたさないよう平常時から点検を行っている。その点検方法は、火災受信機と端末器の電話ジャックにそれぞれ送受話器を差し込んで実際に通話を行い確認する。そして、点検は端末器が複数存在する場合には、すべての端末器について実施される。ところが、ホテルや病院のような静粛性を求められる現場においては、通話機能の点検において度々音響装置よる呼び出し音が発生することが敬遠される。
【０００５】
そこで、このような現場においては、はじめに火災受信機側の音響装置による呼び出し音が正常に行われることを確認できた後に、火災受信機の電話ジャックに送受話器を差し込んだままとして、端末器側からの呼出しによって音響装置による呼び出し音が鳴らないようにしていた。このようにすると、つぎの端末器からの呼出しを電話灯の点灯ならびに音響装置による呼び出し音の鳴動により確認することができないので、火災受信機側にいる点検要員は送受話器を常に耳にあてがって確認を行っていた。しかし、このように送受話器を常に耳にあてがっておくことは、点検作業の障害となっていた。
【０００６】
このような問題を解決した火災受信機として、つぎのような火災受信機が提案されている。すなわち、端末器に設けられている電話ジャックに送受話器が差し込まれ、しかも、火災受信機の電話ジャックに送受話器が差し込まれているときに、電話呼出中であることを示すアイコンを、火災受信機の画面に点灯表示または点滅表示させる表示制御手段を火災受信機に設け、火災受信機の電話ジャックに送受話器が差し込まれている状態でも、端末器から呼び出しがあれば、ＬＣＤ等の表示によって、端末機器から呼出されていることを作業者が認識できるようにしたものである。(例えば特許文献１参照)。
【特許文献１】特開２００７-３２３１９６号公報
【発明の開示】
【発明が解決しようとする課題】
【０００７】
しかし、上記のような解決手段は、ＬＣＤ等の表示画面を備えた火災受信機においては実施できるが、ＬＣＤ等の表示画面がない比較的小型の火災受信機においては実施できない問題があった。
本発明は、このようなＬＣＤ等の表示画面がない比較的小型の火災受信機においても実施できる認識手段を提供することを目的としている。
【課題を解決するための手段】
【０００８】
請求項１記載の発明は、端末器の電話ジャックに差し込まれた送受話器と通話する送受話器を差し込むための電話ジャックと、端末機側からの呼び出しを知らせる呼び出し音を発生する音響装置と、電話ジャックに送受話器が差し込まれた状態を検出すると点灯して電話ジャックに送受話器が差し込まれたことを表示する電話灯とを備えた火災受信機において、火災受信機の電話ジャックに送受話器が差し込まれた状態を検出したときは、音響装置による呼び出し音の発生を停止させ、端末器の電話ジャックに送受話器が差し込まれた状態を検出したときと差し込まれていない状態を検出したときとで、電話灯の点灯による表示態様を異ならせた構成としている。
【０００９】
請求項２記載の発明は、請求項１に記載の火災受信機であって、電話灯の点灯による表示態様を連続点灯と点滅点灯により異ならせた構成としている。
【００１０】
また、請求項３記載の発明は、請求項２記載の火災受信機であって、電話灯の点灯による表示態様を、端末器の電話ジャックに送受話器が差し込まれていない状態を検出したときには連続点灯とし、端末器の電話ジャックに送受話器が差し込まれた状態を検出したときには点滅点灯として異ならせた構成としている。
【００１１】
さらに、請求項４記載の発明は、請求項１記載の火災受信機であって、電話灯の点灯による表示態様を点灯色により異ならせた構成としている。
【発明の効果】
【００１２】
本発明は、上記構成によれば、従来から備わっている電話灯の表示態様を、例えば連続点灯と点滅点灯あるいは点灯色により、火災受信機の電話ジャックに送受話器が差し込まれた状態を検出したときの端末器の電話ジャックに送受話器が差し込まれた状態を検出したときと差し込まれていない状態を検出したときとで異ならせているので、火災受信機の電話ジャックに送受話器を差し込んだままとしても、端末器の電話ジャックに送受話器が差し込まれたことを明瞭に認識することができ、かつ、ＬＣＤ等の表示画面のような追加の装置を付加しなくても安価に実施することができる。
【発明を実施するための最良の形態】
【００１３】
つぎに、本発明の実施の形態を図面を参照して説明する。図１は火災報知設備全体における送受話器による通話機能の概略説明図である。火災受信機１には、電話線Ｔを介して発信機などの複数の端末器２が接続されている。ただし、図１においては１台の端末器２のみ接続された状態を示して、他の端末器は構成が同一であるので省略した。火災受信機１には、端末器２の電話ジャック２０に送受話器３２が電話プラグ３４を介して接続されたことを検出する端末器側接続検出回路１１と、火災受信機１の電話ジャック１０に送受話器３１が電話プラグ３３を介して接続されたことを検出する受信機側接続検出回路１２とが設けられている。そして、これら両接続検出回路１１，１２を介して送られてくる通話信号は、通話回路１３によって結ばれ相互に通話可能としている。
【００１４】
両接続検出回路１１，１２の接続検出信号は、ＣＰＵ等からなる火災受信機全体の制御を行う制御回路１４に入力される。制御回路１４は、両接続検出回路１１，１２の接続検出信号に応じて電話灯１５の点灯および音響装置１６による呼び出し音を制御する。
【００１５】
つぎに、この制御回路による制御の流れを図２のフローチャートにより説明すると、平常時においては端末器２の電話ジャック２０に送受話器３２が差し込まれていないので、端末器側接続検出回路１１からは接続されていない旨の信号が制御回路１４に送られる（Ｓ１）。また、火災受信機１の電話ジャック１０にも送受話器３１が差し込まれていないので、受信機側接続検出回路１２からも接続されていない旨の信号が制御回路１４に送られる（Ｓ２）。制御回路１４は、これら信号を受けて音響装置１６による呼び出し音を停止状態とし（Ｓ３）、電話灯１５による表示も消灯状態とする（Ｓ４）。制御回路１４はこのような処理を終了すると、また端末器側接続検出回路１１からの信号確認に戻って処理を継続する。
【００１６】
つぎに、端末器２が設置された監視現場から火災受信機側へ何らかの通報を行うために、端末器２の電話ジャック２０に送受話器３２の電話プラグ３４が接続されると、端末器側接続検出回路１１から接続された旨の信号が制御回路１４へ送られる（Ｓ１）。このような場合、通常は火災受信機１の電話ジャック１０に送受話器３１が接続されていないので、受信機側接続検出回路１２からは接続されていない旨の信号が制御回路１４に送られている（Ｓ５）。これら信号を受けて制御回路１４は音響装置１６による呼び出し音を発生させ（Ｓ６）、電話灯１５による表示を連続点灯とする（Ｓ７）。このような呼び出し音の発生により、火災受信機１側にいる者は、端末器２から送受話器による通話呼び出しが行われていることを知ることができる。なお、ここで電話灯１５による表示を連続点灯としているが、これを点滅点灯としてもよい。制御回路１４はこのような処理を終了すると、また端末器側接続検出回路１１からの信号確認に戻って処理を継続する。
【００１７】
このような呼び出し音の発生により、火災受信機１側にいる者が端末器２からの送受話器による通話呼び出しが行われていることを知ると、火災受信機１側にいる者は送受話器３１の電話プラグ３３を電話ジャック１０に差し込み、通話回路１３を介して相互に通話を開始する。この送受話器３１の電話ジャック１０への差し込みにより、受信機側接続検出回路１２からは接続された旨の信号が制御回路１４に送られる（Ｓ５）。この信号を受けて制御回路１４は音響装置１６による呼び出し音を停止させ（Ｓ８）、電話灯１５による表示を点滅点灯とする（Ｓ９）。このように電話灯１５による点滅点灯による表示は、端末器２および火災受信機１の両方の送受話器３２，３１が電話ジャック２０，１０に差し込まれて通話可能状態となっていることを表示している。制御回路１４はこのような処理を終了すると、また端末器側接続検出回路１１からの信号確認に戻って処理を継続する。
【００１８】
さて、この端末器２と火災受信機１間の通話機能の点検を行うには、上記のように火災受信機１の電話ジャック１０に送受話器３１を差し込んでいない状態において、まず端末器２から送受話器３２の差し込みによる呼び出し音を発生させ（Ｓ６）、火災受信機側の音響装置による呼び出し音が正常に行われることを確認する。
【００１９】
つぎに、火災受信機１側にいる者は送受話器３１の電話プラグ３３を電話ジャック１０に差し込み、相互に通話が行えることを確認する。なお、このとき電話灯による表示は点滅点灯となっている（Ｓ９）。
【００２０】
この確認を行うことができたら、端末器側では送受話器３２を電話ジャック２０から外す。すると端末器側接続検出回路１１からは送受話器が接続されていない旨の信号が制御回路１４に送られ（Ｓ１）、受信機側接続検出回路１２からは送受話器が接続された旨の信号が制御回路１４に送られるので（Ｓ２）、これら信号を受けて制御回路１４は音響装置１６による呼び出し音を停止させ続け（Ｓ１０）、電話灯１５による表示を連続点灯とする（Ｓ１１）。制御回路１４はこのような処理を終了すると、また端末器側接続検出回路１１からの信号確認に戻って処理を継続する。
【００２１】
このように、火災受信機１側の電話ジャック１０に送受話器を差し込んだままの状態としておいて、再び端末器２側の電話ジャック２０に送受話器が差し込まれると、両接続検出回路１０，１１からは共に接続された旨の信号が制御回路１４に送られるので（Ｓ１，Ｓ５）、これら信号を受けて制御回路１４は音響装置１６による呼び出し音を停止させ（Ｓ８）、電話灯１５による表示を点滅点灯とする（Ｓ９）。
この電話灯１５による点滅点灯表示によって、火災受信機側にいる者は、送受話器３１を耳にあてがっておかなくとも端末器側から呼び出しが行われていることを明確に確認することができる。
【００２２】
すなわち、はじめに火災受信機側の音響装置による呼び出し音が正常に行われることを確認できた後は、火災受信機の電話ジャックに送受話器を差し込んだままとして、端末器側からの呼出しによる呼び出し音を鳴らさずにこの電話灯１５による連続点灯表示からの点滅点灯表示への変化によって、端末器側から呼び出しを明確に確認することができるので、静粛性を求められる現場においての点検作業が飛躍的に向上する。
そして、この機能を実現するには従来からある設備に追加の設備を必要とすることなく、両接続検出回路１０，１１の信号を受けて電話灯１５の点灯制御処理を行うプログラム手順を僅かに変更するだけで済む。
【００２３】
なお、上記実施形態においては、電話灯の点灯による表示態様を連続点灯と点滅点灯により表示するようにしたが、これを電話灯の点灯色により表示するようにしてもよい。これは上記実施形態と比べると電話灯の変更を余儀なくされるが、より明確な表示を実現できることが期待される。例えば、端末器と火災受信機の何れか一方の電話ジャックに送受話器が差し込まれた状態を検出したときには赤色点灯とし、端末器と火災受信機の両方の電話ジャックにそれぞれ送受話器が差し込まれた状態を検出したときには青点灯として異ならせるとよい。
【図面の簡単な説明】
【００２４】
【図１】本発明による火災報知設備全体の概略説明図である。
【図２】本発明における制御回路による制御の流れを示すフローチャートである。
【符号の説明】
【００２５】
１火災受信機
２端末器
１０，２０電話ジャック
１１端末器側接続検出回路
１２受信機側接続検出回路
１４制御回路
１５電話灯
１６音響装置
３１，３２送受話器
【図１】
0005105607.tif 000002
【図２】
0005105607.tif 000003